(57)【要約】【課題】肩に掛けることができるハンガーを提供する。【解決手段】ハンガー１は、衣服掛け部３（ハンガー本体）の上部に環状の肩掛け部２を有している。肩掛け部２の内径は、肩に掛けることができる大きさが確保されており、ユーザは、肩掛け部２に腕を挿通して衣服を吊り提げたハンガー１を肩から提げることができる。このように、ハンガー１は、肩から提げるため、ユーザは、腕の自由度を制限されることなく、ハンガー１に吊した衣服を運ぶことができる。また、顧客が店舗で購入した衣服をハンガー１によって肩から提げて歩くと周りに購入した衣服を見せることができ、顧客の満足度の向上、衣服の宣伝効果の発揮を期待することができる。更に、衣服掛け部３に対して肩掛け部２を傾けて設けて、ハンガー１を肩から提げたときの心地を向上させたりなど、各種の変形が可能である。【選択図】図１
2011055929.tif 000002
【特許請求の範囲】
【請求項１】
衣服の左右肩部を掛ける衣服掛け部と、
前記衣服掛け部の上部に設けられ、腕を挿通して肩に掛ける環状の肩掛け部と、
を具備したことを特徴とする肩掛けハンガー。
【請求項２】
前記肩掛け部は、前記衣服掛け部の左右の２点で前記衣服掛け部に接続していることを特徴とする請求項１に記載の肩掛けハンガー。
【請求項３】
前記衣服掛け部を含む平面に対して、前記肩掛け部を含む平面が傾斜していることを特徴とする請求項１、又は請求項２に記載の肩掛けハンガー。
【請求項４】
前記肩掛け部に形成されたフック部を具備したことを特徴とする請求項１、請求項２、又は請求項３に記載の肩掛けハンガー。
【請求項５】
前記フック部は、前記環状の外周側に形成されていることを特徴とする請求項４に記載の肩掛けハンガー。
【請求項６】
前記フック部は、前記環状の内周側に形成されていることを特徴とする請求項４に記載の肩掛けハンガー。
【発明の詳細な説明】
【技術分野】
【０００１】
本発明は、肩掛けハンガーに係り、例えば、衣服を吊すハンガーに関するものである。
【背景技術】
【０００２】
ハンガーは、衣服を係止して保管・陳列するのに用いられる。
通常、ハンガーは、衣服の左右肩部を内側から係止する人間の肩形状を模した衣服掛け部と、その中央から上部に形成されたフック部から構成されている。
また、特許文献１の「ハンガー」のように、ハンガーに腕掛け部が収納してあり、衣服を持ち運ぶ際に、腕掛け部を引き出して腕に掛けるものが提案されている。
【０００３】
しかし、特許文献１記載の技術では、ハンガーを腕に掛けるため、腕の自由が制限されてしまうという問題があった。
例えば、衣料品店で商品を陳列して顧客がこれを購入する場合、顧客は購入後に衣服を腕に掛けてショッピングを行うことになり不便であった。
また、ハンガーを腕から掛けた場合、長い衣服は、衣服の下端部分が床面に触れてしまうという問題もあった。
【先行技術文献】
【特許文献】
【０００４】
【特許文献１】特開２００２−２７２５８８号公報
【発明の概要】
【発明が解決しようとする課題】
【０００５】
本発明は、肩に掛けることができるハンガーを提供することを目的とする。
【課題を解決するための手段】
【０００６】
本発明は、前記目的を達成するために、請求項１に記載の発明では、衣服の左右肩部を掛ける衣服掛け部と、前記衣服掛け部の上部に設けられ、腕を挿通して肩に掛ける環状の肩掛け部と、を具備したことを特徴とする肩掛けハンガーを提供する。
請求項２に記載の発明では、前記肩掛け部は、前記衣服掛け部の左右の２点で前記衣服掛け部に接続していることを特徴とする請求項１に記載の肩掛けハンガーを提供する。
請求項３に記載の発明では、前記衣服掛け部を含む平面に対して、前記肩掛け部を含む平面が傾斜していることを特徴とする請求項１、又は請求項２に記載の肩掛けハンガーを提供する。
請求項４に記載の発明では、前記肩掛け部に形成されたフック部を具備したことを特徴とする請求項１、請求項２、又は請求項３に記載の肩掛けハンガーを提供する。
請求項５に記載の発明では、前記フック部は、前記環状の外周側に形成されていることを特徴とする請求項４に記載の肩掛けハンガーを提供する。
請求項６に記載の発明では、前記フック部は、前記環状の内周側に形成されていることを特徴とする請求項４に記載の肩掛けハンガーを提供する。
【発明の効果】
【０００７】
本発明によれば、ハンガーを肩から掛けることができる。
【図面の簡単な説明】
【０００８】
【図１】ハンガー１の正面図と側面図を表した図である。
【図２】ハンガー１の変形例を表した図である。
【図３】ハンガー１の変形例を表した図である。
【図４】ハンガー１の変形例を表した図である。
【図５】ハンガー１の変形例を表した図である。
【発明を実施するための形態】
【０００９】
（１）実施形態の概要
ハンガー１（図１（ａ））は、衣服掛け部３（ハンガー本体）の上部に環状の肩掛け部２を有している。
肩掛け部２の内径は、肩に掛けることができる大きさが確保されており、ユーザは、肩掛け部２に腕を挿通して衣服を吊り提げたハンガー１を肩から提げることができる。
このように、ハンガー１は、肩から提げるため、ユーザは、腕の自由度を制限されることなく、ハンガー１に吊した衣服を運ぶことができる。
【００１０】
また、顧客が店舗で購入した衣服をハンガー１によって肩から提げて歩くと周りに購入した衣服を見せることができ、顧客の満足度の向上、衣服の宣伝効果の発揮を期待することができる。
更に、衣服掛け部３に対して肩掛け部２を傾けて設けて、ハンガー１を肩から提げたときの心地を向上させたり、肩掛け部２にフック部（図２（ｂ）フック部１６など）を設けてハンガー１をハンガー用ポールなどから吊り提げることができるようにしたり、表示領域（図５（ａ）の表示領域４１など）を設けて表示したりなど、各種の変形が可能である。
【００１１】
（２）実施形態の詳細
図１（ａ）は、本実施形態のハンガー１の正面図を表した図である。
ハンガー１は、衣服掛け部３と、肩掛け部２を用いて構成されている。
ハンガー１は、例えば、射出成形などの工程によって樹脂により一体形成されている。
衣服掛け部３の構成は、通常のハンガー本体と同様であり、肩を模した傾斜バー１０、１０（以下、傾斜バー１０）が左右対象に形成されており、当該傾斜バー１０を衣服の肩部に内側から宛うことにより衣服を衣服掛け部３に係止する。
【００１２】
また、衣服掛け部３は、機能を高めるために付随的な構成として、ネクタイ吊下バー４、ズボン吊下バー８、肩紐リング６などを備えている。
ネクタイ吊下バー４は、左右の衣服掛け部３の上端の間に水平に設けられたバーであり、肩掛け部２との間に環状空間９を形成している。
環状空間９にネクタイを挿通してネクタイ吊下バー４に掛けることにより、ネクタイを係止することができる。
【００１３】
ズボン吊下バー８は、衣服掛け部３の傾斜バー１０の下端の間に水平に設けられたバーであり、ズボンを掛けることによりズボンを係止することができる。
また、ズボン吊下バー８の両端上部には、傾斜バー１０の下端付近より伸びるズボン抑え部５が形成されている。
ズボン抑え部５とズボン吊下バー８の間には間隙が設けられており、当該間隙にズボンを通すと、ズボン抑え部５がズボンに付勢され、ズボンがズボン吊下バー８からずり落ちるのを防止する。
【００１４】
肩紐リング６は、衣服掛け部３の左右両端部分に設けられており、スリットの形成された環状部材によって構成されている。
肩紐リング６は、例えば、女性用のキャミソールなど、肩紐を有する衣服の当該肩紐をスリットを通して掛けて、当該衣服を吊り提げるのに用いられる。
【００１５】
肩掛け部２は、衣服掛け部３の上部に形成された環状の部材であって、本実施の形態では、一例として円形状に形成されており、当該円形状の中心は衣服掛け部３の左右中心線上に位置する。
肩掛け部２は、左右の傾斜バー１０の上端部のそれぞれに設けられた接合部材７、７によって衣服掛け部３に接合している。
【００１６】
このように、肩掛け部２を衣服掛け部３に２点接合することにより接合強度を高めている。
肩掛け部２の内径は、腕を通して肩に掛けることができる程度の値であって、例えば、１５〜３０［ｃｍ］、好ましくは２０〜２５［ｃｍ］程度である。
なお、材料を選択するなどして強度が保てるのであれば１点接合でもよい。
【００１７】
ハンガー１は、このように構成されており、ユーザは、衣服掛け部３に衣服を掛けた状態で、肩掛け部２を肩に掛けて移動することができる。
これにより、ユーザは、腕の自由を制限されずにハンガー１を肩に掛けることができ、また、周囲の者にユーザが運んでいる衣服を見せることができるため、ユーザの満足度を高め、かつ、衣服の宣伝効果を高めることもできる。
【００１８】
図１（ｂ）は、ハンガー１の側面図であり、ハンガー１を図１（ａ）の矢線方向に見たところを示している。
この例では、肩掛け部２と衣服掛け部３が同一平面上に形成されている。
【００１９】
図１（ｃ）は、衣服掛け部３に対して肩掛け部２を傾けて形成した例である。
この例では、肩掛け部２を含む平面２０と、衣服掛け部３を含む平面２１が０度でない所定の角度をもって傾斜している。
このように、肩掛け部２と衣服掛け部３のなす角度は、一方の側では１８０度より小さく、他方の側では１８０度より大きくなっているが、肩掛け部２を肩に掛ける際に、当該他の側（１８０度より大きい側）が外側となるように衣服を吊したハンガー１を肩に掛けると、ハンガー１と衣服がユーザの体側にフィットし、肩に掛けやすくなる。
【００２０】
図１（ｄ）は、肩掛け部２と衣服掛け部３を蝶番１３で接合した例である。
この例では、接合部材７、７（図１（ａ））に蝶番１３が設けてあり、衣服掛け部３に対して肩掛け部２が前後方向（正面図に対する前後方向）に回転するようになっている。
このため、ユーザがハンガー１に衣服を吊して肩掛け部２を肩に掛けると、ユーザの体形に適した角度になり、肩に掛けやすくなる。
【００２１】
図２（ａ）は、肩掛け部２の変形例を示した図である。
この例では、肩掛け部２は、扇型の環状に形成されている。このように、肩掛け部２は、円環形状でなく楕円形など任意の形状に形成することができる。
【００２２】
図２（ｂ）は、肩掛け部２の内周側にフック部１６を形成した例である。
フック部１６は、肩掛け部２を内周側に湾曲させ、左右対称線状に中心が位置するように円弧状のフック部１６を形成することにより構成されている。
フック部１６は、例えば、ハンガー用ポールに掛けることができ、ハンガー１に衣服を掛けて店舗のポールに設置して展示することができる。
また、フック部１６は、ハンガー１の左右対称線状に中心が位置するため、衣服を掛けてポールに設置した場合にバランスが保たれ、ハンガー１が傾かない。
【００２３】
図３（ａ）は、肩掛け部２の外周側にフック部１８を形成した例である。
フック部１８は、円弧を有する鈎状の部材によって構成されており、肩掛け部２の頂点部分に形成されている。
円弧の中心は、図２（ｂ）と同様にハンガー１の左右対称線上に位置している。
【００２４】
図３（ｂ）は、フック部１８を着脱可能にした例である。
フック部１８の下端には肩掛け部２を着脱可能に把持する把持部２５が設けられており、ハンガー１をポールなどから吊す場合には、肩掛け部２にフック部１８を装着し、ハンガー１を肩に掛ける場合にはフック部１８を外す（図３（ｃ））。
把持部２５の着脱機構は、任意でよく、例えば、肩掛け部２が嵌合する溝部や鈎部によって着脱するように構成することができる。
【００２５】
このように、ハンガー１を肩に掛ける際にフック部１８を外すことができるため、フック部１８が邪魔にならない。
また、図３（ａ）において、フック部１８と肩掛け部２の接合部に切断用の溝を形成しておき、ハンガー１を肩に掛ける際に、フック部１８を折ってハンガー１から取り除くように構成することもできる。
【００２６】
図４（ａ）は、ハンガー１に更なる種々の工夫点を加えた例である。
肩掛け部２の一端側は切断されており、当該切断部分に開閉可能な止め具３１が形成されている。
止め具３１を外して肩掛け部２を撓めることにより間隙を設け、当該間隙にハンガー用ポールを通すと肩掛け部２の内側にポールを挿通することができる。ハンガー１をポールや肩に掛ける場合は、止め具３１を閉じておく。
【００２７】
また、ネクタイ吊下バー４には、途中に間隙３２が設けられており、間隙３２にネクタイを通してネクタイ吊下バー４にネクタイを掛けることができる。
更に、傾斜バー１０の上部やズボン吊下バー８の上部には、それぞれ凹凸部３３、３４が設けられており、傾斜バー１０に掛けた衣服、及びズボン吊下バー８に掛けたズボンが凹凸部３３、３４の摩擦によりずり落ちないようになっている。
【００２８】
図４（ｂ）は、肩掛け部２を、キーホルダーなどで採用されている２重のリング構造とした例である。
肩掛け部２は、一本の棒材を円弧状に湾曲させた構造を有しており、円弧の少なくとも一部分は２重に重畳した構造となっている。
肩掛け部２を撓めてると間隙が生じるため、当該間隙にポールを通して肩掛け部２の内部にポールを挿通することができる。
【００２９】
図５（ａ）は、肩掛け部２の上部に表示領域４１を形成した例である。
肩掛け部２は、円形断面を有するが上部では円形断面を扁平に形成し、平面、あるいは略平面の幅広な表示領域４１が設けられている。表示領域４１では、ロゴマークなどの表示を行うことができる。
図５（ｂ）は、環状空間９の上部に表示領域４２を設けた例である。表示領域４２の上端部分が滑らかにフック部１６に連続するように形成されており、デザイン的にも優れた形状となっている。
【００３０】
以上に説明した本実施の形態により、次のような効果を得ることができる。
（１）ハンガー１に衣服を吊したままハンガー１を肩から提げることができる。そのため、腕の自由が制限されない。
（２）顧客が店舗で衣服を購入した場合、顧客は衣服をハンガー１に吊して肩から提げることにより衣服を運ぶことができる。顧客は、腕の自由を確保したままショッピングを継続でき、また、衣服が他の顧客から見えるため、店舗にとっても宣伝効果を発揮することができる。
（３）図１（ｃ）の例では、肩掛け部２を衣服掛け部３に対して傾けて形成することにより、衣服を吊したハンガー１を肩から提げた際に、肩掛け部２の肩への装着状態と吊した衣服がユーザの体にフィットして快適にハンガー１を肩に掛けることができる。
（４）図２（ｂ）、図３（ａ）（ｂ）の例では、ハンガー１をハンガー用ポールなどに提げることができ、ハンガー１を、店舗では商品の陳列、家庭では衣服の収納に用いることができる。
（５）ハンガー１を肩から提げるため、丈の長い衣服でも下端が床面に接しない。
（６）肩掛け部２に止め具３１を設けたり、二重リング構造とすることにより、肩掛け部２の内側にポールを通すことができる。
（７）表示領域４１、４２を設けるなどして、ハンガー１で表示を行うことができる。
【００３１】
以上に説明した本実施の形態により次の構成を得ることができる。
衣服掛け部３は、左右の傾斜バー１０、１０をそれぞれ衣服の左右肩部に掛けることができ、肩掛け部２は、環状形状を有しており、衣服掛け部３の上部に設けられ、ユーザが腕を挿通して肩に掛けることができる。このように、ハンガー１は、肩に掛ける肩掛けハンガーとして機能している。
【００３２】
肩掛け部２は、衣服掛け部３の左右対称線に対して対称に形成された２つの接合部材７、７による２点接合により衣服掛け部３に接続している。
また、図１（ｃ）の例では、衣服掛け部３を含む平面２１に対して肩掛け部２を含む平面２０が傾斜している。
更に、図２（ｂ）、図３（ａ）（ｂ）の例では、ハンガー１は、それぞれ、肩掛け部２に形成されたフック部１６、フック部１８を備えている。
加えて、図３（ａ）、（ｂ）の例では、フック部１８は、肩掛け部２の環状の外周側に形成されており、図２（ｂ）の例では、フック部１６は、肩掛け部２の環状の内側に形成されている。
【符号の説明】
【００３３】
１  ハンガー
２  肩掛け部
３  衣服掛け部
４  ネクタイ吊下バー
５  ズボン抑え部
６  肩紐リング
７  接合部材
８  ズボン吊下バー
９  環状空間
１０  傾斜バー
１３  蝶番
１６  フック部
１８  フック部
２０  平面
２１  平面
２５  把持部
３１  止め具３１
３２  間隙３２
３３、３４  凹凸部
４１、４２  表示領域
【図１】
2011055929.tif 000003
【図２】
2011055929.tif 000004
【図３】
2011055929.tif 000005
【図４】
2011055929.tif 000006
【図５】
2011055929.tif 000007